(57)【特許請求の範囲】
【請求項１】
車両の前照灯の配光を制御する配光制御装置であって、
前記車両のドライバーの状態を解析し、前記ドライバーの集中力が不足していると推定した場合に、現在の状態が前記車両が走行する車線の線形を前記ドライバーが認識しにくい状態であると判定する状態判定部と、
前記状態判定部により前記現在の状態が前記ドライバーが前記車線の線形を認識しにくい状態であると判定された場合に、前記ドライバーが前記車線の線形を認識しやすくなる配光パターンである認識向上配光パターンとして、前記ドライバーが前記車線の線形を認識しにくい状態でないときに選択される配光パターンである通常配光パターンよりも前記車線の路肩の上方への照射が多い配光パターンを選択する配光パターン選択部と、
前記配光パターン選択部により選択された前記認識向上配光パターンで照射するように前記前照灯の配光を制御する配光制御部とを有する配光制御装置。
【請求項２】
ＨＵＤ（Ｈｅａｄ−Ｕｐ  Ｄｉｓｐｌａｙ）が配置される車両の前照灯の配光を制御する配光制御装置であって、
現在の状態が、前記車両が走行する車線の線形を前記車両のドライバーが認識しにくい状態であるか否かを判定する状態判定部と、
前記状態判定部により前記現在の状態が前記ドライバーが前記車線の線形を認識しにくい状態であると判定された場合に、前記ドライバーが前記車線の線形を認識しやすくなる配光パターンである認識向上配光パターンを選択する配光パターン選択部と、
前記配光パターン選択部により選択された前記認識向上配光パターンで照射する光照射範囲を決定し、決定した前記光照射範囲に道路標識が存在し前記ＨＵＤに前記道路標識の位置に合わせて前記道路標識のイメージ画像が表示されるか否かを判定し、前記光照射範囲に道路標識が存在し前記ＨＵＤに前記道路標識の位置に合わせて前記道路標識のイメージ画像が表示される場合に、前記道路標識への照射を抑えるように前記前照灯の配光を制御する配光制御部とを有する配光制御装置。
【請求項３】
車両の前照灯の配光を制御する配光制御装置であって、
現在の状態が、前記車両が走行する車線の線形を前記車両のドライバーが認識しにくい状態であるか否かを判定する状態判定部と、
前記状態判定部により前記現在の状態が前記ドライバーが前記車線の線形を認識しにくい状態であると判定され、更に、前記ドライバーの視覚的顕著性マップを解析して得られた前記ドライバーが前記車線の側線を注視する確率が閾値よりも低い場合に、前記ドライバーが前記車線の線形を認識しやすくなる配光パターンである認識向上配光パターンを選択する配光パターン選択部と、
前記配光パターン選択部により選択された前記認識向上配光パターンで照射するように前記前照灯の配光を制御する配光制御部とを有する配光制御装置。
【請求項４】
前記状態判定部は、
前記車線の路面の状態を解析し、前記車線の路面が濡れていると推定した場合に、前記現在の状態が前記ドライバーが前記車線の線形を認識しにくい状態であると判定する請求項２又は３に記載の配光制御装置。
【請求項５】
前記状態判定部は、
前記車両の周囲の明るさを解析し、前記車両の周囲の明るさが不足していると推定した場合に、前記現在の状態が前記ドライバーが前記車線の線形を認識しにくい状態であると判定する請求項２又は３に記載の配光制御装置。
【請求項６】
前記状態判定部は、
前記ドライバーの視線移動及び前記ドライバーのハンドル操作の少なくともいずれかを解析して前記ドライバーの集中力が不足しているか否かを推定する請求項１に記載の配光制御装置。
【請求項７】
前記配光制御部は、
前記認識向上配光パターンで照射する光照射範囲を前記車両の速度に応じて決定し、決定した前記光照射範囲を照射するように前記前照灯を制御する請求項１〜３のいずれか一項に記載の配光制御装置。
【請求項８】
前記配光制御部は、
前記認識向上配光パターンで照射する光照射範囲を前記車両の所在位置の現在の天候に応じて決定し、決定した前記光照射範囲を照射するように前記前照灯を制御する請求項１〜３のいずれか一項に記載の配光制御装置。
【請求項９】
前記配光制御部は、
前記認識向上配光パターンで照射する光照射範囲を決定し、決定した前記光照射範囲に移動体が所在するか否かを判定し、前記光照射範囲に前記移動体が所在する場合に、前記光照射範囲の前記移動体が所在する領域を照射しないように前記前照灯を制御する請求項１〜３のいずれか一項に記載の配光制御装置。
【請求項１０】
前記配光制御部は、
前記認識向上配光パターンで照射する光照射範囲を決定し、決定した前記光照射範囲が前記車線の曲路部分に該当するか否かを判定し、前記光照射範囲が前記車線の曲路部分に該当する場合に、前記車両の進行方向での前記車線の内側の照度が前記車両の進行方向での前記車線の外側の照度よりも高くなるように前記前照灯を制御する請求項１〜３のいずれか一項に記載の配光制御装置。
【請求項１１】
前記配光制御部は、
前記認識向上配光パターンで照射する光照射範囲を決定し、決定した前記光照射範囲の外に道路標識が存在するか否かを判定し、前記光照射範囲の外に前記道路標識が存在する場合に、前記光照射範囲に加えて前記道路標識を照射するように前記前照灯を制御する請求項１〜３のいずれか一項に記載の配光制御装置。
【請求項１２】
前記配光パターン選択部は、
前記車両の前方を撮影した画像を解析して得られた前記車線の側線の輝度コントラスト値が閾値よりも低い場合に、前記認識向上配光パターンを選択する請求項１〜３のいずれか一項に記載の配光制御装置。
【請求項１３】
前記配光制御部は、
既定の明るさ及び前記認識向上配光パターンで照射している際に前記車両の前方を撮影した画像を解析して得られた前記車線の側線の輝度コントラスト値、及び前記既定の明るさ及び前記認識向上配光パターンで照射している際の前記ドライバーの視覚的顕著性マップを解析して得られた前記ドライバーが前記車線の側線を注視する確率の少なくともいずれかに基づき、前記認識向上配光パターンで照射する際の明るさを調整する請求項１〜３のいずれか一項に記載の配光制御装置。
【請求項１４】
車両の前照灯の配光を制御するコンピュータが、
前記車両のドライバーの状態を解析し、前記ドライバーの集中力が不足していると推定した場合に、現在の状態が前記車両が走行する車線の線形を前記ドライバーが認識しにくい状態であると判定し、
前記現在の状態が前記ドライバーが前記車線の線形を認識しにくい状態であると判定された場合に、前記ドライバーが前記車線の線形を認識しやすくなる配光パターンである認識向上配光パターンとして、前記ドライバーが前記車線の線形を認識しにくい状態でないときに選択される配光パターンである通常配光パターンよりも前記車線の路肩の上方への照射が多い配光パターンを選択し、
選択された前記認識向上配光パターンで照射するように前記前照灯の配光を制御する配光制御方法。
【請求項１５】
車両の前照灯の配光を制御するコンピュータに、
前記車両のドライバーの状態を解析し、前記ドライバーの集中力が不足していると推定した場合に、現在の状態が前記車両が走行する車線の線形を前記ドライバーが認識しにくい状態であると判定する状態判定処理と、
前記状態判定処理により前記現在の状態が前記ドライバーが前記車線の線形を認識しにくい状態であると判定された場合に、前記ドライバーが前記車線の線形を認識しやすくなる配光パターンである認識向上配光パターンとして、前記ドライバーが前記車線の線形を認識しにくい状態でないときに選択される配光パターンである通常配光パターンよりも前記車線の路肩の上方への照射が多い配光パターンを選択する配光パターン選択処理と、
前記配光パターン選択処理により選択された前記認識向上配光パターンで照射するように前記前照灯の配光を制御する配光制御処理とを実行させる配光制御プログラム。
【発明の詳細な説明】
【技術分野】
【０００１】
本開示は、車両の前照灯の配光の制御に関する。
【背景技術】
【０００２】
従来より、ＡＤＢ（Ａｄａｐｔｉｖｅ  Ｄｒｉｖｉｎｇ  Ｂｅａｍ）制御と呼ばれる技術が種々提案されている。ＡＤＢ制御では、ＡＤＢ制御を行う車両が、前方にある前方車両（先行車及び対向車）の位置を検出し、前方車両が所在する位置に光が照射されないようにハイビームの照射パターンを制御する。このようにすることで、前方車両に対するグレアを抑制することができる。
ＡＤＢ制御においては、車両前方カメラ、ＬｉＤＡＲ（Ｌｉｇｈｔ  Ｄｅｔｅｃｔｉｏｎ  ａｎｄ  Ｒａｎｇｉｎｇ）等の検出手段による前方車両の検出結果とＡＤＢ制御を行う車両の走行状態に基づいて、現状況に適した配光パターンが選択される。そして、選択された配光パターンが形成されるように車両用灯具が制御される。このようなＡＤＢ制御は、車両の遠方視認性確保と前方車両へのグレア低減の両立に有効である。【０００３】
夜間走行時の視認性は走行環境に大きく左右される。例えば、アスファルトに雨水が溜まった状態の湿潤路面では、路面の反射率が高まる。このため、路面より正反射する光が増加し、ドライバー側に戻る光が減少する。この結果、正反射光の増加による他車両へのグレアと、ドライバー側に戻る光の減少に伴う視認性の低下が起こる。特に、水溜まりが発生することと路面が暗くなることに伴って、車線の視認性が低下し、ドライバーが車線の線形を認識することが困難となる。他に、車両周辺が暗く、路肩近傍にある電柱、デリネータ等の路肩設置物が判別し難い場合においてドライバーの車線の線形を認識する能力が低下する。【０００４】
例えば、特許文献１では、悪天候状態（降雨、降雪、積雪のうちのいずれか一つ）を判別可能な天候判別手段と、天候判別手段が悪天候状態を判別した場合に、照射範囲を通常時に対して狭くする配光制御手段とを備える車両用前照灯装置が開示されている。そして、特許文献１では、車両用前照灯装置が、ドライバーが注視する領域の周囲からの反射光による眩惑を防止し、ドライバーの負担を軽減することが開示されている。
【先行技術文献】
【特許文献】
【０００５】
【特許文献１】特開２０１６−０６８７９３号公報
【発明の概要】
【発明が解決しようとする課題】
【０００６】
特許文献１の車両前照灯装置は、悪天候状態のときに照射範囲を通常時に対して狭くする。しかしながら、悪天候状態でなくてドライバーが車線の線形を認識しにくいことがある。また、照射範囲を狭くしたとしても、必ずしもドライバーが車線の線形を認識しやすい配光が得られるとは限らない。【０００７】
本開示は、以上に鑑みたものであり、ドライバーが車線の線形を認識しにくいときに、ドライバーが車線の線形を認識しやすい配光を実現することを主な目的とする。
【課題を解決するための手段】
【０００８】
本開示に係る配光制御装置は、
車両の前照灯の配光を制御する配光制御装置であって、
現在の状態が、前記車両が走行する車線の線形を前記車両のドライバーが認識しにくい状態であるか否かを判定する状態判定部と、
前記状態判定部により前記現在の状態が前記ドライバーが前記車線の線形を認識しにくい状態であると判定された場合に、前記ドライバーが前記車線の線形を認識しやすくなる配光パターンである認識向上配光パターンを選択する配光パターン選択部と、
前記配光パターン選択部により選択された前記認識向上配光パターンで照射するように前記前照灯の配光を制御する配光制御部とを有する。
【発明の効果】
【０００９】
本開示によれば、ドライバーが車線の線形を認識しにくいときに、ドライバーが車線の線形を認識しやすい配光を実現することができる。
【図面の簡単な説明】
【００１０】
【図１】実施の形態１に係る車両の構成例を示す図。
【図２】実施の形態１に係る配光制御装置の構成例を示す図。
【図３】実施の形態１に係る配光制御装置の動作例を示すフローチャート。
【図４】実施の形態１に係る状態判定処理及び配光パターン選択処理の例を示すフローチャート。
【図５】実施の形態１に係る通常配光の例と車線強調配光の例を示す図。
【図６】実施の形態１に係る周辺環境判定処理の例を示すフローチャート。
【図７】実施の形態１に係る通常配光の例と路肩上方強調配光の例を示す図。
【図８】実施の形態１に係るドライバー状態判定処理の例を示すフローチャート。
【図９】実施の形態１に係る光照射範囲決定処理の例を示すフローチャート。
【図１０】実施の形態１に係る光照射範囲の例を示す図。
【図１１】実施の形態１に係る配光情報生成処理の例を示すフローチャート。
【図１２】実施の形態６に係る配光制御装置の構成例を示す図。
【図１３】実施の形態６に係る配光パターン選択処理の例を示すフローチャート。
【図１４】実施の形態７に係る配光制御装置の構成例を示す図。
【図１５】実施の形態７に係る配光パターン選択処理の例を示すフローチャート。
【発明を実施するための形態】
【００１１】
以下、実施の形態を図を用いて説明する。以下の実施の形態の説明及び図面において、同一の符号を付したものは、同一の部分又は相当する部分を示す。
【００１２】
実施の形態１．
＊＊＊構成の説明＊＊＊
図１は、本実施の形態に係る車両１０の構成例を示す。
なお、図１では、本実施の形態の説明に必要な要素のみを示している。つまり、車両１０は、エンジン、トランスミッション、ブレーキ等を備えるが、これらは本実施の形態の説明に必要がないため、図１では図示を省略している。
【００１３】
図１に示すように、車両１０は、配光制御装置１００、前照灯（左）１１０、前照灯（右）１２０、センサ群１３０、高精度ロケータ１４１、地図データベース１４２、ドライバーモニタリング装置１４３、車外通信装置１４４、統合制御装置１５０及びＨＵＤ１６０を備える。
【００１４】
センサ群１３０は、１つ以上のセンサである。図１では、センサ群１３０には、車載カメラ１３１、レーダー装置１３２、舵角センサ１３３、車速センサ１３４が含まれる。
【００１５】
車載カメラ１３１は、車両１０の前方を撮影する。車載カメラ１３１により撮影された車両１０の前方の画像を配光制御装置１００が分析することで、車両１０の前方の物体の種別（車両、歩行者、障害物（動物及び落下物など））、車両の種別（先行車、対向車）、形状（乗用車、トラックなど）、車両１０と物体との距離及び方向を算出することができる。
レーダー装置１３２は、車両１０の周囲に存在する物体と車両１０との距離、及び、物体が位置する方向を計測する。
舵角センサ１３３は、操舵の向きを計測する。
車速センサ１３４は、車両１０の速度を計測する。
【００１６】
高精度ロケータ１４１は、ＧＮＳＳ（Ｇｌｏｂａｌ  Ｎａｖｉｇａｔｉｏｎ  Ｓａｔｅｌｌｉｔｅ  Ｓｙｓｔｅｍ）衛星からの測位信号に基づいて、車両１０の現在位置を高精度に算出する。本実施の形態では、高精度ロケータ１４１は、車両１０の絶対位置（緯度、経度）を算出するものとする。
【００１７】
地図データベース１４２は、地図情報を記憶する媒体である。地図データベース１４２に記憶された地図情報は、道路の車線の位置、路肩の位置、歩道の位置、車線の属性（右折専用車線など）、道路に設置された標識の情報などを含む高精度な地図情報である。
【００１８】
ドライバーモニタリング装置１４３は、ドライバーの状態を監視する。ドライバーモニタリング装置１４３は、例えば、室内カメラ、ハンドルセンサー、シートセンサで構成される。
室内カメラは、ドライバーの視線、顔の向き、姿勢を検知する。ハンドルセンサーは、ドライバーの心拍を検知する。シートセンサは、脈拍を検知する。
配光制御装置１００は、ドライバーモニタリング装置１４３の監視結果に基づき、ドライバーの覚醒度、集中度、体調などを推定することができる。
【００１９】
車外通信装置１４４は、車両１０外のネットワークを介して、車両１０外の各種機器と通信を行う。
例えば、車外通信装置１４４は、サーバ装置、路側器、他車両または車両１０の保守点検で利用される診断器などと通信を行う。
配光制御装置１００は、車外通信装置１４４を用いることで、路側器、他車両等と通信し、車両１０のセンサ群１３０では検知できない障害物の情報を取得することができる。
【００２０】
統合制御装置１５０は、センサ群１３０、高精度ロケータ１４１、地図データベース１４２、ドライバーモニタリング装置１４３、車外通信装置１４４で取得された情報を用いて車両１０全体の動作を制御する。
【００２１】
ＨＵＤ（Ｈｅａｄ−Ｕｐ  Ｄｉｓｐｌａｙ）１６０は、ドライバーの前方の視野に重畳して情報を表示する透過型の表示装置である。ＨＵＤ１６０は、統合制御装置１５０の指示に基づいて、フロントガラスなどに情報を表示することができる。
【００２２】
配光制御装置１００は、前照灯（左）１１０及び前照灯（右）１２０の配光を制御する。
配光制御装置１００は、ネットワークを介して、センサ群１３０、高精度ロケータ１４１、地図データベース１４２、ドライバーモニタリング装置１４３、車外通信装置１４４、前照灯（左）１１０及び前照灯（右）１２０と通信する。
ネットワークは車両１０内のネットワークである。ネットワークを介して行われる通信では、ＬＩＮ（Ｌｏｃａｌ  Ｉｎｔｅｒｃｏｎｎｅｃｔ  Ｎｅｔｗｏｒｋ）、ＣＡＮ（Ｃｏｎｔｒｏｌｌｅｒ  Ａｒｅａ  Ｎｅｔｗｏｒｋ）、Ｅｔｈｅｒｎｅｔ（登録商標）、ＣＸＰＩ（Ｃｌｏｃｋ  Ｅｘｔｅｎｓｉｏｎ  Ｐｅｒｉｐｈｅｒａｌ  Ｉｎｔｅｒｆａｃｅ）などの通信プロトコルが利用される。
なお、配光制御装置１００の動作手順は、配光制御方法に相当する。
【００２３】
前照灯（左）１１０及び前照灯（右）１２０は、車両１０の前方を照射する照明装置であり、複数の分割領域に対して選択的に光照射可能な配光可変型の前照灯である。分割領域は、少なくとも水平方向に分割されており、垂直方向に分割されても構わない。ここで、前照灯の分割領域のことを「前照灯分割領域」と称する。
前照灯（左）１１０及び前照灯（右）１２０は、複数の前照灯分割領域を照らす光源を備えており、ＬＥＤ（Ｌｉｇｈｔ  Ｅｍｉｔｔｉｎｇ  Ｄｉｏｄｅ）光源、ＤＭＤ（Ｄｉｇｉｔａｌ  Ｍｉｃｒｏｍｉｒｒｏｒ  Ｄｅｖｉｃｅ）などで構成される。
また、前照灯（左）１１０及び前照灯（右）１２０は、それぞれ、ＬＥＤ光源又はＤＭＤを駆動するドライバー装置も有する。
【００２４】
図２は、配光制御装置１００の構成例を示す。
【００２５】
配光制御装置１００は、コンピュータである。
図２に示すように、配光制御装置１００は、ハードウェアとして、プロセッサ９０１、主記憶装置９０２、補助記憶装置９０３及び通信インタフェース９０４を備える。これらのハードウェアは、信号線を介して互いに接続されている。
【００２６】
プロセッサ９０１は、演算処理を行うＩＣ（Ｉｎｔｅｇｒａｔｅｄ  Ｃｉｒｃｕｉｔ）であり、他のハードウェアを制御する。例えば、プロセッサ９０１はＣＰＵ（Ｃｅｎｔｒａｌ  Ｐｒｏｃｅｓｓｉｎｇ  Ｕｎｉｔ）である。
【００２７】
主記憶装置９０２は、揮発性の記憶装置である。主記憶装置９０２は、メモリ又はメインメモリとも呼ばれる。例えば、主記憶装置９０２はＲＡＭ（Ｒａｎｄｏｍ  Ａｃｃｅｓｓ  Ｍｅｍｏｒｙ）である。
【００２８】
補助記憶装置９０３は、不揮発性の記憶装置である。例えば、補助記憶装置９０３は、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、フラッシュメモリである。
【００２９】
通信インタフェース９０４は、ネットワークを介して通信を行うためのインタフェースであり、ネットワークに接続される。例えば、通信インタフェース９０４は、通信チップ又はＮＩＣ（Ｎｅｔｗｏｒｋ  Ｉｎｔｅｒｆａｃｅ  Ｃａｒｄ）である。
【００３０】
配光制御装置１００は、機能構成として、情報取得部１０１、情報解析部１０２及び配光制御部１０３を備える。これらの要素はソフトウェアで実現される。
補助記憶装置９０３には、情報取得部１０１、情報解析部１０２及び配光制御部１０３を実現する配光制御プログラムが記憶されている。
配光制御プログラムは、補助記憶装置９０３から主記憶装置９０２にロードされる。そして、プロセッサ９０１が配光制御プログラムを実行する。
図２は、プロセッサ９０１が配光制御プログラムを実行している状態を模式的に表している。
【００３１】
情報取得部１０１は、車両状態情報取得部１０１１、車両周辺情報取得部１０１２及びドライバー状態情報取得部１０１３で構成される。
【００３２】
車両状態情報取得部１０１１は、車両１０内のネットワークより車両状態情報を取得する。車両状態情報は、車両の状態（挙動）を示す。
【００３３】
車両周辺情報取得部１０１２は、車両１０内のネットワークより車両周辺情報を取得する。車両周辺情報は、車両の周辺の状態（環境）を示す。
【００３４】
ドライバー状態情報取得部１０１３は、車両１０内のネットワークよりドライバー状態情報を取得する。ドライバー状態情報は、ドライバー状態（行動）を示す。
【００３５】
情報解析部１０２は、状態判定部１０２１及び配光パターン選択部１０２２で構成される。
【００３６】
状態判定部１０２１は、現在の状態が、車両１０が走行する車線の線形をドライバーが認識しにくい状態であるか否かを判定する。車線の線形とは、車両１０の進行方向での車線の形状である。より具体的には、車両１０が走行する車線の側線の進行方向での形状である。側線は、例えば、路側の白線である。また、車両１０が走行する車線が左右の少なくともいずれか一方で同じ進行方向又は逆の進行方向の他の車線と接している場合は、側線には他の車線との境界線も含まれる。
例えば、状態判定部１０２１は、車両周辺情報に基づき、車線の路面の状態を解析し、車線の路面が濡れていると推定した場合に、現在の状態がドライバーが車線の線形を認識しにくい状態であると判定する。
また、状態判定部１０２１は、車両周辺情報に基づき、車両１０の周囲の明るさを解析し、車両１０の周囲の明るさが不足していると推定した場合に、現在の状態がドライバーが車線の線形を認識しにくい状態であると判定してもよい。
更に、状態判定部１０２１は、車両状態情報及びドライバー状態情報に基づき、ドライバーの状態を解析し、ドライバーの集中力が不足していると推定した場合に、現在の状態がドライバーが車線の線形を認識しにくい状態であると判定してもよい。
なお、状態判定部１０２１により行われる処理は、状態判定処理に相当する。
【００３７】
配光パターン選択部１０２２は、状態判定部１０２１により現在の状態がドライバーが車線の線形を認識しにくい状態であると判定された場合に、ドライバーが車線の線形を認識しやすくなる配光パターンである認識向上配光パターンを選択する。つまり、配光パターン選択部１０２２は、認識向上配光パターンとして、ドライバーが車線の線形を認識しにくい状態でないときに選択される配光パターンである通常配光パターンよりも車線の外縁への照射が多い配光パターンを選択する。
例えば、配光パターン選択部１０２２は、認識向上配光パターンとして、通常配光パターンよりも車線の側線への照射が多い配光パターン（以下、車線強調パターンという）を選択する。また、配光パターン選択部１０２２は、認識向上配光パターンとして、通常配光パターンよりも車線の路肩の上方への照射が多い配光パターン（以下、路肩上方強調パターンという）を選択することもある。
なお、配光パターン選択部１０２２により行われる処理は、配光パターン選択処理に相当する。
【００３８】
配光制御部１０３は、照射領域算出部１０３１、光照射範囲算出部１０３２及び配光情報生成部１０３３で構成される。
なお、照射領域算出部１０３１、光照射範囲算出部１０３２及び配光情報生成部１０３３で行われる処理を配光制御処理という。
【００３９】
照射領域算出部１０３１は、配光パターン選択部１０２２により選択された配光パターンに基づき、照射領域を算出する。
ここで、「照射領域」は、光を照射して強調したい領域のことである。
【００４０】
光照射範囲算出部１０３２は、照射領域算出部１０３１により算出された照射領域に基づき、光照射範囲を算出する。
【００４１】
配光情報生成部１０３３は、各照射領域の明るさと光軸制御量を決定する。
【００４２】
＊＊＊動作の説明＊＊＊
次に、本実施の形態に係る配光制御装置１００の動作例を説明する。
図３は、本実施の形態に係る配光制御装置１００の動作の流れを示す。
【００４３】
ステップＳ１１において、情報取得部１０１が情報を取得する。
より具体的には、車両状態情報取得部１０１１が車両状態情報を取得し、車両周辺情報取得部１０１２が車両周辺情報を取得し、ドライバー状態情報取得部１０１３がドライバー状態情報を取得する。
【００４４】
前述したように、車両状態情報は、車両の状態（挙動）を示す情報である。例えば、車両状態情報は、前照灯（左）１１０及び前照灯（右）１２０への入力状態、車両１０の速度、ハンドル舵角、ハンドル操舵速度及び車両１０の位置などを示す。
また、車両周辺情報は、車両１０の周辺の環境を示す情報である。車両周辺情報は、走行環境情報と障害物情報とを含む。走行環境情報は、車両１０の走行環境を示す情報である。走行環境情報は、天候、時間帯、道路標識、路肩設置物（デリネータ、ガードレール、電柱など）、車線位置、周囲の明るさ、走行道路の属性（一般道、自動車専用道路など）、道路周辺の属性（市街地、郊外など）、路面状態（乾燥、湿潤、積雪など）などを示す。障害物情報は、車両の周囲に存在する障害物を示す情報である。障害物情報は、前方車両、後方車両、歩行者、動物及び落下物などの障害物を示す。
ドライバー状態情報は、ドライバー状態を示す情報である。ドライバー状態情報には、ドライバーの視線、顔の向き、姿勢、心拍、脈拍などが示される。また、ドライバー状態情報に、ドライバーの視線位置（視線の停留時間）の情報が含まれていてもよい。
【００４５】
次に、ステップＳ１２において、情報解析部１０２が状態の判定及び配光パターンの選択を行う。
より具体的には、状態判定部１０２１が、車両状態情報と車両周辺情報とドライバー状態情報とを用いて、現在の状態が、車両１０が走行する車線の線形をドライバーが認識しにくい状態であるか否かを判定する。
更に、状態判定部１０２１の判定結果に基づき、配光パターン選択部１０２２が配光パターンを選択する。つまり、配光パターン選択部１０２２は、通常配光パターン及び認識向上配光パターンのいずれかを選択する。
【００４６】
次に、ステップＳ１３において、配光制御部１０３が光照射範囲を決定する。
より具体的には、照射領域算出部１０３１が、ステップＳ１２で選択された配光パターンと車両状態情報と車両周辺情報とを用いて、照射領域を算出する。また、光照射範囲算出部１０３２が、照射領域を照射する光照射範囲を算出する。
【００４７】
次に、ステップＳ１４において、配光情報生成部１０３３が配光情報を生成する。
より具体的には、配光情報生成部１０３３が、ステップＳ１３で算出された光照射範囲に配光を行うために、前照灯分割領域の明るさと光軸制御量を決定する。
【００４８】
図４は、図３に示すステップＳ１２（状態判定処理及び配光パターン選択処理）の詳細を示す。
【００４９】
ステップＳ１２１において、状態判定部１０２１が、路面状態を判定する。
具体的には、状態判定部１０２１は、車両周辺情報に含まれる路面状態情報より路面が湿潤状態か否かを判定する。
路面が湿潤状態の場合は、状態判定部１０２１は、現在、車線の線形の認識が困難な状態にあると判定する（ステップＳ１２２でＹＥＳ）。つまり、状態判定部１０２１は、現在の状態が、ドライバーが車線の線形を認識しにくい状態であると判定する。
現在、車線の線形の認識が困難な状態にあると状態判定部１０２１に判定された場合は、処理はステップＳ１２３に移行する。一方、路面が湿潤状態ではなく、車線の線形の認識が困難な状態にはないと状態判定部１０２１に判定された場合は、処理はステップＳ１２４に移行する。
【００５０】
ステップＳ１２３では、状態判定部１０２１の車線の線形の認識が困難な状態にあるとの判定結果に基づき、配光パターン選択部１０２２が、配光パターンとして車線強調パターンを選択する。車線強調パターンは、前述の通り、車線の側線の路面照度を高める配光パターンである。
【００５１】
図５は、通常配光パターンに従った配光例と車線強調パターンに従った配光例を示す。
図５の（ａ）は、通常配光パターンに従った通常配光の例を示す。
図５の（ｂ）は、車線強調パターンに従った車線強調配光の例を示す。
車線強調配光（図５の（ｂ））では、通常配光（図５の（ａ））と比較して、車線の両側線（路側の白線と他の車線との境界線）への配光が追加されている。
【００５２】
図４のステップＳ１２３で配光パターン選択部１０２２が車線強調パターンを選択する理由は以下の通りである。
路面が湿潤状態の場合、道路上の水溜まりの影響により、道路のアスファルト面や側線部分の輝度が低下する。この結果、ドライバーが車線の線形を視認することが難しくなる。
本事象を解決するために、配光パターン選択部１０２２は、車線の側線近傍の路面照度を高めるようにスポット的に照射する配光パターン（車線強調パターン）を選択する。車線強調パターンに従った配光（車線強調配光）によりアスファルト面に対する側線部分の輝度が強まることで、輝度コントラストが大きくなる。この結果、側線が際立って見え、車線の線形に対するドライバーの認識を高めることができる。
【００５３】
図４に戻り、ステップＳ１２４では、状態判定部１０２１が周辺環境を判定する。
具体的には、状態判定部１０２１は、車両周辺情報に示される走行道路の属性、道路周辺の属性、周囲の明るさにより、車両１０の周辺の環境を判定する。
【００５４】
ステップＳ１２４の周辺環境判定処理の詳細を図６を参照して説明する。
【００５５】
まず、ステップＳ１２４１において、状態判定部１０２１は、走行道路の属性より、車両１０が「自動車専用道路」を走行しているか否かを判定する。
車両１０が「自動車専用道路」を走行している場合は、ステップＳ１２４２において、状態判定部１０２１は、現在、車線の線形の認識が困難な状態にはないと判定する。
一方、車両１０が「自動車専用道路」を走行していない場合は、処理がステップＳ１２４３に進む。
【００５６】
ステップＳ１２４３では、状態判定部１０２１は、道路周辺の属性より、車両１０が「市街地」を走行しているか否かを判定する。
車両１０が「市街地」を走行している場合は、ステップＳ１２４２において、状態判定部１０２１は、現在、車線の線形の認識が困難な状態にはないと判定する。
一方、車両１０が「市街地」を走行していない場合は、処理がステップＳ１２４４に進む。
【００５７】
ステップＳ１２４４では、周囲の明るさが規定値（例えば、周辺照度が１０００ルクスなど）以上か否かを判定する。
周囲の明るさが規定値以上である場合は、ステップＳ１２４２において、状態判定部１０２１は、現在、車線の線形の認識が困難な状態にはないと判定する。
一方、周囲の明るさが規定値未満である場合は、ステップＳ１２４５において、状態判定部１０２１は、現在、車線の線形の認識が困難な状態にあると判定する。
【００５８】
図６の例では、状態判定部１０２１は、車両１０が自動車専用道路又は市街地を走行している場合は、街灯により一定の明るさが保たれていると判定する。一方、車両１０が、自動車専用道路又は市街地を走行していない場合は、明るさが不足しており、ドライバーが車線の線形を認識することが難しいと判定する。
図６の例では、状態判定部１０２１は、ステップＳ１２４１及びステップＳ１２４３において車両１０が自動車専用道路又は市街地を走行しているか否かを判定するが、ステップＳ１２４１及びステップＳ１２４３を省略してもよい。つまり、状態判定部１０２１は、ステップＳ１２４４のみを行って、車両１０の周囲の明るさが十分であるか否かのみを判定するようにしてもよい。
【００５９】
図４に戻って、ステップＳ１２５において車線の線形の認識が困難ではない場合、すなわち、状態判定部１０２１がステップＳ１２４２で車線の線形の認識が困難な状態にはないと判定した場合は、処理がステップＳ１２７に進む。
一方、ステップＳ１２５において車線の線形の認識が困難である場合、すなわち、状態判定部１０２１がステップＳ１２４５で車線の線形の認識が困難な状態にあると判定した場合は、ステップＳ１２６において、配光パターン選択部１０２２が、配光パターンとして路肩上方強調パターンを選択する。路肩上方強調パターンは、前述の通り、車線の路肩の上方への照射が多い配光パターンである。路肩上方強調パターンでは、路肩近傍設置物（電柱など）を多く照射することができる。
【００６０】
図７は、通常配光パターンに従った配光例と路肩上方強調パターンに従った配光例を示す。
図７の（ａ）は、通常配光パターンに従った通常配光の例を示す。図７の（ａ）の通常配光は図５の（ａ）の通常配光と同じである。
図７の（ｂ）は、路肩上方強調パターンに従った路肩上方強調配光の例を示す。
路肩上方強調配光（図７の（ｂ））では、通常配光（図７の（ａ））と比較して路肩上方への配光が追加されている。
【００６１】
図４のステップＳ１２６において配光パターン選択部１０２２が路肩上方強調パターンを選択する理由は以下の通りである。
車両１０が走行している環境が自動車専用道路又は市街地のように街灯により一定の明るさが保たれる環境ではない場合は、周囲の明るさが足りず側線の視認性が落ちる。また、周辺の明るさが足りないと路肩設置物の視認性も低い。このため、ドライバーの車線の線形を認識する能力も低下してしまう。
本事象を回避するために、配光パターン選択部１０２２は、路肩近傍位置で前照灯（ロービーム）のカットオフラインの上方をスポット的に照射する配光パターン（路肩上方強調パターン）を選択する。路肩上方強調パターンに従った配光（路肩上方強調配光）により路肩近傍設置物（電柱など）をより明るく照らすことで、路肩近傍設置物が際立って見え、車線の線形に対するドライバーの認識を高めることができる。
【００６２】
図４に戻り、ステップＳ１２７において、状態判定部１０２１がドライバーの状態を判定する。
具体的には、状態判定部１０２１は、ドライバー状態情報に含まれる視線位置（視線の停留時間）、車両状態情報に含まれるハンドル舵角の情報より、ドライバーの状態を判定する。
【００６３】
ステップＳ１２７のドライバー状態判定処理を図８を参照して説明する。
【００６４】
まず、ステップＳ１２７１において、状態判定部１０２１は、ドライバーの視線位置の情報より、ドライバーの視線移動の頻度を判定する。
そして、視線移動の頻度が閾値よりも多くない場合は、状態判定部１０２１は、ステップＳ１２７２において、現在、車線の線形の認識が困難な状態にはないと判定する。
一方、視線移動の頻度が閾値よりも多い場合は、状態判定部１０２１は、ステップＳ１２７３において、ハンドル操舵速度の標準偏差を算出する。そして、ハンドル操舵速度の標準偏差が閾値よりも大きくない場合は、状態判定部１０２１は、ステップＳ１２７２において、現在、車線の線形の認識が困難な状態にはないと判定する。
一方、ハンドル操舵速度の標準偏差が閾値よりも大きい場合は、処理がステップＳ１２７４に進む。
【００６５】
ステップＳ１２７４では、状態判定部１０２１は、ドライバーの集中度を判定する。
例えば、状態判定部１０２１は、ドライバーの顔の向き、姿勢、心拍数、脈拍数等に基づいて、ドライバーの集中度を判定する。状態判定部１０２１は、ドライバーの集中度を任意の方法で判定することができる。
ドライバーの集中度が通常の場合は、状態判定部１０２１は、ステップＳ１２７２において、現在、車線の線形の認識が困難な状態にはないと判定する。
一方、ドライバーの集中度が通常ではない場合、すなわち、ドライバーの集中力が不足している場合は、状態判定部１０２１は、ステップＳ１２７５において、現在、車線の線形の認識が困難な状態にはあると判定する。
【００６６】
このように、ドライバーの視線移動が少ない（視線の停留時間が長い）場合、または、ハンドル操作が不安定（ハンドル操舵速度の標準偏差が大きい）な場合などにおいて、状態判定部１０２１は、ドライバーの車線の線形を認識する能力が低下していると判定する。
【００６７】
図４に戻って、ステップＳ１２８において車線の線形の認識が困難ではない場合、すなわち、状態判定部１０２１がステップＳ１２７２で車線の線形の認識が困難な状態にはないと判定した場合は、ステップＳ１２９において、配光パターン選択部１０２２が、配光パターンとして通常配光パターンを選択する。
一方、ステップＳ１２８において車線の線形の認識が困難である場合、すなわち、状態判定部１０２１がステップＳ１２７５で車線の線形の認識が困難な状態にあると判定した場合は、ステップＳ１２６において、配光パターン選択部１０２２が、配光パターンとして路肩上方強調パターンを選択する。
【００６８】
次に、図９及び図１０を参照して、図３のステップＳ１３（光照射範囲決定処理）を説明する。
【００６９】
ステップＳ１３１において、照射領域算出部１０３１は、ステップＳ１２で選択された配光パターンが通常配光パターンであるか、通常配光パターン以外の配光パターンであるかを判定する。
ステップＳ１２で選択された配光パターンが通常配光パターンである場合は、処理がステップＳ１３５に進む。一方、ステップＳ１２で選択された配光パターンが通常配光パターン以外である場合は、処理がステップＳ１３２に進む。
【００７０】
ステップＳ１３２では、照射領域算出部１０３１が、車両１０の速度が規定値（例えば、時速１５ｋｍ〜時速８０ｋｍの間）内であるか否かを判定する。
車両１０の速度が規定値内であれば、処理がステップＳ１３３に進む。
一方、車両１０の速度が規定値外であれば、処理がステップＳ１３５に進む。
このように、照射領域算出部１０３１が車両１０の速度に基づく判定を行うことで、低速走行時の車線強調配光又は路肩上方強調配光に伴う周辺交通参加者へのグレアを防止することができる。更に、高速走行時の車線強調配光又は路肩上方強調配光に伴う遠方視認性の低下を防止することができる。
【００７１】
ステップＳ１３３では、照射領域算出部１０３１が、車両周辺情報より、車両１０が走行している車線の両端（右側と左側）の車両１０を基準とする水平方向の相対位置である車線位置を取得する。
まず、照射領域算出部１０３１は、高精度ロケータ１４１で求めた車両１０の絶対位置と地図データベース１４２に保持されている地図情報を用いて車線位置を求めることができる。また、照射領域算出部１０３１は、車載カメラ１３１により撮影された画像を解析して車線位置を求めてもよい。
次に、照射領域算出部１０３１は、車両１０の速度より、ドライバーが注視する領域を決定する。一般的には、ドライバーは１秒〜３秒後の走行位置の周辺を注視すると言われている。このため、照射領域算出部１０３１は、例えば、車両１０の速度より、１秒〜３秒後の走行位置を求めてドライバーの注視領域を決定する。車両１０が時速６０ｋｍで走行している場合は、注視領域の開始位置は車両１０の前方約１７メートルの位置であり、注視領域の終端位置は車両１０の前方約５０メートルの位置である。この例では、照射領域算出部１０３１は、車両１０の前方約１７メートルの位置から車両１０の前方約５０メートルの位置までを注視領域として決定する。
また、照射領域算出部１０３１は、ドライバーモニタリング装置１４３で取得したドライバーの視線移動の情報より、現在のドライバーの視認位置を求めて注視領域を決定してもよい。
【００７２】
なお、車両１０が曲路走行を行う可能性がある。
照射領域算出部１０３１は、地図データベース１４２に保持されている地図情報から車両１０が曲路走行を行うか否かを判定することができる。また、照射領域算出部１０３１は、車載カメラ１３１により撮影された画像を解析して車両１０が曲路走行を行うか否かを判定してもよい。照射領域算出部１０３１は、これらのいずれかの方法で車線の曲率を求め、求めた曲率を利用して、ドライバーの注視領域を決定する。
また、照射領域算出部１０３１は、ハンドル舵角量を利用してドライバーの注視領域を決定してもよい。
この場合は、照射領域算出部１０３１は、車両状態情報より、車速の情報及びハンドル舵角の情報を取得する。そして、照射領域算出部１０３１は、過去周期と現周期との値の差から、車速及びハンドル舵角の時間当たりの変化量を求める。そして、照射領域算出部１０３１は、求めた車速及びハンドル舵角の時間当たりの変化量を用いて、高精度ロケータ１４１で求めた現在の車両１０の位置から、将来の車両１０の位置を求める。
そして、照射領域算出部１０３１は、将来の車両１０の位置からドライバーの注視領域を決定する。
照射領域算出部１０３１は、例えば、将来の車両１０の位置として１秒後の車両１０の位置と３秒後の車両１０の位置を推定する。そして、照射領域算出部１０３１は、１秒後の車両１０の位置を注視領域の開始位置に指定し、３秒後の車両１０の位置を注視領域の終端位置に指定する。この方法では、照射領域算出部１０３１は、車速及びハンドル舵角の時間当たりの変化量と時間（本例では１秒と３秒）とを用いて注視領域を決定する。
【００７３】
そして、照射領域算出部１０３１は、上記のいずれかの方法により決定した注視領域の距離にある車線位置を照射領域に指定する。つまり、照射領域算出部１０３１は、車両１０が走行している車線の、注視領域に沿った両端の間の領域を照射領域に指定する。
【００７４】
ステップＳ１３４では、光照射範囲算出部１０３２が、光照射範囲を算出する。
つまり、光照射範囲算出部１０３２は、ステップＳ１３３で決定した照射領域に配光を行うための光照射範囲を算出する。このように、光照射範囲算出部１０３２は、認識向上配光パターン（車線強調パターン又は路肩上方強調パターン）で照射する光照射範囲を車両１０の速度に応じて決定し、決定した光照射範囲を照射するように前照灯（左）１１０及び前照灯（右）１２０を制御する
【００７５】
ステップＳ１３５では、光照射範囲算出部１０３２が、光照射範囲を初期状態に設定する。
【００７６】
図１０は照射領域と光照射範囲の関係を示す。なお、図１０では、図の簡略化のために左側の光照射範囲のみを示している。
図１０において、点Ｏは車両１０の中心位置を示す。また、点Ｃは注視領域の開始位置を示す。また、点Ｄは注視領域の終端位置を示す。点Ａと点Ｂは注視領域と車線が交差する点である。
ここで、光照射範囲（左側）は、点Ｏと点Ａ、点Ｂがなす角度（∠ＡＯＣと∠ＢＯＤ）の範囲になる。
光照射範囲算出部１０３２は、光照射範囲（右側）も同様の考え方で決定する。
【００７７】
次に、図１１を参照して、図３のステップＳ１４の配光情報生成処理を説明する。
【００７８】
ステップＳ１４１において、配光情報生成部１０３３が、図３のステップＳ１２で選択された配光パターンが通常配光パターンであるか否かを判定する。
図３のステップＳ１２で選択された配光パターンが通常配光パターンである場合は、処理がステップＳ１４５に進む。
一方、図３のステップＳ１２で選択された配光パターンが通常配光パターンでない場合は、処理がステップＳ１４２に進む。
【００７９】
ステップＳ１４２では、配光情報生成部１０３３は、車両１０の速度が規定値以内であるか否かを判定する。
車両１０の速度が規定値以外である場合は、処理がステップＳ１４５に進む。
一方、車両１０の速度が規定値以内である場合は、処理がステップＳ１４３に進む。
【００８０】
ステップＳ１４３では、配光情報生成部１０３３は、前照灯分割領域の明るさを決定する。
ここで、配光情報生成部１０３３は、前照灯（左）１１０及び前照灯（右）１２０の各々の前照灯分割領域の照射範囲を表す情報として、左限角度と右限角度を予め記憶しているものとする。配光情報生成部１０３３は、図９のステップＳ１３４で決定した光照射範囲の角度と前照灯（左）１１０及び前照灯（右）１２０の各々の光照射範囲の角度とを比較し、点灯対象となる前照灯分割領域を決定する。例えば、配光情報生成部１０３３は、点灯対象となる前照灯分割領域の明るさを最大光量の８０％、点灯対象とならない前照灯分割領域の明るさを最大光量の０％（つまり消灯）と設定する。前照灯分割領域の明るさは予め実験などを通じて値を決めておく。
【００８１】
ステップＳ１４４では、配光情報生成部１０３３は、光軸制御量を決定する。
光軸制御量は、車線強調パターンと路肩上方強調パターンとで異なる値となる。配光情報生成部１０３３は、車線強調パターンでは路面照度が高まる配光になるように光軸を制御する。一方、路肩上方強調パターンでは、配光情報生成部１０３３は、ロービームの照射範囲よりも上方部分の明るさが高まる配光になるように光軸を制御する。
光照射範囲に対する配光として、ハイビームを利用する場合で考える。ハイビームの照射範囲は上方を向いているため、路面を照らすには適していない。そこで、配光情報生成部１０３３は、光軸を下方に下げることにより路面を照らすように光軸制御量を決定する。光軸を下方に下げるための制御量（光軸を下げる角度）は、予め実験などを通じて決定しておく。例えば、光軸を下げた場合の照射範囲を測定しておき、配光情報生成部１０３３は、本照射範囲と光照射範囲の関係などから光軸を下方に下げるための制御量を決定する。例えば、配光情報生成部１０３３は、車両１０の速度と光軸制御量の関係式（近似式）を記憶しておき、車両１０の速度に基づき光軸制御量を決定する。
なお、配光情報生成部１０３３は、ハイビームではなく、光照射範囲へ配光可能な専用光源が用いられている場合は、専用光源を用いる場合の光軸制御量を決定する。
【００８２】
図３のステップＳ１２で選択された配光パターンが通常配光パターンである場合、または車両１０の速度が規定値以外である場合は、ステップＳ１４５において、配光情報生成部１０３３が、前照灯分割領域の明るさと光軸制御量を初期状態に設定する。
【００８３】
配光情報生成部１０３３は、ステップＳ１４３〜ステップＳ１４５で求めた各前照灯分割領域の明るさ、光軸制御量に基づいて、前照灯（左）１１０及び前照灯（右）１２０の制御を行う。車両用前照灯における、各光源の点灯方法、光軸の制御（レベリングモータ制御）方法は既知であるため、説明を割愛する。
【００８４】
＊＊＊実施の形態の効果の説明＊＊＊
本実施の形態によれば、ドライバーが車線の線形を認識しにくいときに、ドライバーが車線の線形を認識しやすい配光を実現することができる。
より具体的には、本実施の形態では、車線の線形の認識が困難な状況下において、車線の側線又は路肩設置物といった車線の線形の認識を高める効果のある物に強調して光を照射することで車線の線形を際立てることができる。この結果、ドライバーの車線の線形の認識を高めることができ、夜間又は悪天候時の安全走行に寄与することができる。
【００８５】
実施の形態２．
実施の形態１では、光照射範囲算出部１０３２が車両１０の速度に基づいて光照射範囲を算出する。本実施の形態では、光照射範囲算出部１０３２は、天候情報を用いて光照射範囲を算出する。
本実施の形態では、主に実施の形態１との差異を説明する。
なお、以下で説明していない事項は、実施の形態１と同様である。
【００８６】
光照射範囲算出部１０３２は、車両周辺情報より天候情報を取得する。天候情報に示される天候が大雨、降雪、霧などの悪天候である場合は、光照射範囲算出部１０３２は、図９のステップＳ１３４において車両１０の速度に基づいて算出した光照射範囲よりも車両１０側に狭めた範囲を光照射範囲と設定する。
つまり、本実施の形態では、光照射範囲算出部１０３２は、認識向上配光パターン（車線強調パターン又は路肩上方強調パターン）で照射する光照射範囲を車両１０の所在位置の現在の天候に応じて決定し、決定した光照射範囲を照射するように前照灯（左）１１０及び前照灯（右）１２０を制御する。
【００８７】
本実施の形態によれば、雨滴などによる光の拡散反射などに伴うドライバーへのグレアを低減しつつ、ドライバーの車線の線形への認識を高めることができる。
【００８８】
実施の形態３．
実施の形態１では、光照射範囲算出部１０３２が車両１０の速度に基づいて光照射範囲を算出する。本実施の形態では、光照射範囲算出部１０３２は、障害物情報を用いて光照射範囲を算出する。
本実施の形態では、主に実施の形態１との差異を説明する。
なお、以下で説明していない事項は、実施の形態１と同様である。
【００８９】
光照射範囲算出部１０３２は、車両周辺情報の障害物情報に含まれる周辺車両の所在位置及び／又は歩行者の所在位置を取得する。取得した周辺車両の所在位置及び／又は歩行者の所在位置が図９のステップＳ１３４において算出した光照射範囲に含まれる場合に、光照射範囲算出部１０３２は、周辺車両の所在位置及び／又は歩行者の所在位置を光照射範囲から除外する。
つまり、本実施の形態では、光照射範囲算出部１０３２は、光照射範囲に移動体（周辺車両及び／又は歩行者）が存在するか否かを判定し、光照射範囲に移動体が所在する場合に、光照射範囲の移動体が所在する領域を照射しないように前照灯（左）１１０及び前照灯（右）１２０を制御する。
【００９０】
本実施の形態によれば、ドライバーの車線の線形への認識を高めるとともに、周辺交通者へのグレアを低減することができる。
【００９１】
実施の形態４．
実施の形態１では、実施の形態１では、配光情報生成部１０３３が、車両１０が走行している車線の両側の光照射範囲の明るさを、同じ明るさに設定する。本実施の形態では、車両１０が曲路を走行する場合に、配光情報生成部１０３３が、車線の内側の照度が車線の外側の照度よりも高くなるように明るさを設定する。
本実施の形態では、主に実施の形態１との差異を説明する。
なお、以下で説明していない事項は、実施の形態１と同様である。
【００９２】
ドライバーはカーブ（曲路）に進入してからカーブを抜けるまでの間のほとんどにおいて、タンジェントポイント（視点を通る直線とカーブ内側との接点）を注視していると言われている。光照射範囲算出部１０３２は、ドライバーのこのような特性に合わせてカーブ内側の状況がより分かり易くなるように光照射範囲を決定する。また、配光情報生成部１０３３は、カーブ内側を明るく、カーブ外側が暗くなるように明るさを設定する。
つまり、本実施の形態では、配光情報生成部１０３３は、光照射範囲算出部１０３２により決定された光照射範囲が車線の曲路部分に該当するか否かを判定し、光照射範囲が車線の曲路部分に該当する場合に、車両１０の進行方向での車線の内側の照度が車両１０の進行方向での車線の外側の照度よりも高くなるように前照灯（左）１１０及び前照灯（右）１２０を制御する。
【００９３】
本実施の形態によれば、ドライバーが注視する方向が他の領域よりも明るくなることで、ドライバーの車線の線形への認識を高めることができる。
【００９４】
実施の形態５．
本実施の形態では、光照射範囲算出部１０３２は、道路標識の位置に基づき光照射範囲を算出する。
本実施の形態では、主に実施の形態１との差異を説明する。
なお、以下で説明していない事項は、実施の形態１と同様である。
【００９５】
本実施の形態では、光照射範囲算出部１０３２は、高精度ロケータ１４１で求めた車両１０の絶対位置と地図データベース１４２で保持している地図情報により、車両１０の進行方向に存在する道路標識の位置を取得する。また、光照射範囲算出部１０３２は、車載カメラ１３１で撮影した画像を解析して道路標識の位置を取得してもよい。
そして、取得した道路標識が一時停止の道路標識であり、図３のステップＳ１２で選択された配光パターンが車線強調パターンである場合に、光照射範囲算出部１０３２は、道路標識位置付近の車線領域を光照射範囲に含める。
つまり、本実施の形態では、光照射範囲算出部１０３２は、図９のステップＳ１３４において算出した光照射範囲の外に一時停止の道路標識が存在するか否かを判定し、光照射範囲の外に一時停止の道路標識が存在する場合に、ステップＳ１３４において算出した光照射範囲に加えて当該道路標識を照射するように前照灯（左）１１０及び前照灯（右）１２０を制御する。
なお、ここでは、一例として一時停止の道路標識を説明したが、他の種類の道路標識（例えば、進入禁止の道路標識）が照射されるように光照射範囲を拡張してもよい。
【００９６】
本実施の形態によれば、ドライバーが停止線の位置への認識を高めることができ、ドライバーの進行方向に対する認識を高めることができる。
【００９７】
また、光照射範囲算出部１０３２は、表示装置（例えば、ＨＵＤ１６０）に表示するイメージ画像との関係で光照射範囲を決定してもよい。以下では、ＨＵＤ１６０に道路標識のイメージ画像を表示する例を説明する。
光照射範囲算出部１０３２は、車両周辺情報より道路標識を検知した場合、統合制御装置１５０を介してＨＵＤ１６０に道路標識のイメージ画像を道路標識の位置に合わせて表示するよう指示する。ＨＵＤ１６０は、指示に従い、道路標識のイメージ画像を道路標識の位置に合わせて表示する。ＨＵＤ１６０へのイメージ画像の表示方法は既知であるため説明を割愛する。
図３のステップＳ１２で選択された配光パターンが車線強調パターン又は路肩上方強調パターンである場合に、配光情報生成部１０３３は、図９のステップＳ１３４において算出した光照射範囲に道路標識が存在しＨＵＤ１６０に道路標識のイメージ画像が道路標識の位置に合わせて表示されるか否かを判定する。光照射範囲に道路標識が存在しＨＵＤ１６０に道路標識のイメージ画像が道路標識の位置に合わせて表示される場合は、配光情報生成部１０３３は、ＨＵＤ１６０上の道路標識のイメージ画像への視認性を高めるために、道路標識への照射を抑えるように前照灯（左）１１０及び前照灯（右）１２０を制御する。このように道路標識への照射を抑えることでＨＵＤ１６０に表示する道路標識のイメージ画像への視認性を高めることができる。
【００９８】
以上のような制御を行うことで、ドライバーが道路標識への認識を高めることができ、ドライバーの進行方向に対する認識を高めることができる。
【００９９】
実施の形態６．
本実施の形態では、車両１０の前方を撮影した画像を解析して得られた車線の側線の輝度コントラスト値が閾値よりも低い場合に、配光パターン選択部１０２２が、認識向上配光パターンを選択する。
本実施の形態では、主に実施の形態１との差異を説明する。
なお、以下で説明していない事項は、実施の形態１と同様である。
【０１００】
＊＊＊構成の説明＊＊＊
図１２は、本実施の形態に係る配光制御装置１００の構成例を示す。
図２と比較して、図１２では、輝度コントラスト値算出部１０４が追加されている。輝度コントラスト値算出部１０４も配光制御プログラムにより実現される。
また、本実施の形態では、図１に示す車載カメラ１３１は、車両１０の前方の輝度情報を取得可能である。
輝度コントラスト値算出部１０４は、車載カメラ１３１が取得した輝度情報より車両１０の前方の輝度値を取得する。そして、輝度コントラスト値算出部１０４は、車線の側線の輝度値とアスファルト面の輝度値より、車線の側線の輝度コントラスト値を算出する。
本実施の形態では、上述のように、車載カメラ１３１が輝度情報を取得可能なことを前提にする。車載カメラ１３１が輝度情報を取得できない場合は、輝度コントラスト値算出部１０４が車載カメラ１３１により撮影された車両１０の前方の画像の画素値から輝度値を推定し、推定により得られた輝度値を用いて輝度コントラスト値を算出してもよい。例えば、事前に画素値と輝度値との対応関係を評価しておき、画素値と輝度値との間の変換テーブルを生成し、変換テーブルを補助記憶装置９０３に格納しておく。輝度コントラスト値算出部１０４は、変換テーブルを用いて画素値から輝度値を推定する。
【０１０１】
本実施の形態では、配光パターン選択部１０２２は、車線の側線の輝度コントラスト値が閾値よりも低い場合に、認識向上配光パターンを選択する。
【０１０２】
＊＊＊動作の説明＊＊＊
図１３は、本実施の形態に係る動作例を示す。
【０１０３】
ステップＳ４１において、図４に示した動作（ステップＳ１２１〜ステップＳ１２９）が行われた後に、ステップＳ４２において、配光パターン選択部１０２２は、ステップＳ４１で選択された配光パターンが通常配光パターンであるか否かを判定する。
ステップＳ４１で選択された配光パターンが通常配光パターンでない場合は、処理が終了する。
一方、ステップＳ４１で選択された配光パターンが通常配光パターンである場合は、処理がステップＳ４３に進む。
【０１０４】
ステップＳ４３では、配光パターン選択部１０２２が輝度コントラスト値算出部１０４に輝度コントラスト値の算出を指示し、輝度コントラスト値算出部１０４が車載カメラ１３１により取得された輝度情報から車線の側線の輝度コントラスト値を算出する。
【０１０５】
次に、ステップＳ４４において、配光パターン選択部１０２２が、車線の側線の輝度コントラスト値が閾値より小さいか否かを判定する。閾値は、例えば、雨天夜間走行時において側線（白線）を視認可能と評価した際の輝度コントラスト値である。
側線の輝度コントラスト値が閾値より小さい場合は、ドライバーが車線の線形を認識しにくい状態であるため、配光パターン選択部１０２２は、ステップＳ４５において、車線強調パターンを選択する。
側線の輝度コントラスト値が閾値より小さくない場合は、ステップＳ４６において、配光パターン選択部１０２２は、引き続き通常配光パターンを選択する。
【０１０６】
＊＊＊実施の形態の効果の説明＊＊＊
本実施の形態によれば、路面が湿潤状態以外の状態でもドライバーが側線を認識しにくい場合は、側線を強調する配光を行うことで、側線のコントラストを高め、ドライバーの車線の線形への認識を高めることができる。
【０１０７】
実施の形態７．
本実施の形態では、配光パターン選択部１０２２は、ドライバーの視覚的顕著性マップを解析して得られたドライバーが車線の側線を注視する確率が閾値よりも低い場合に、認識向上配光パターンを選択する。
本実施の形態では、主に実施の形態１との差異を説明する。
なお、以下で説明していない事項は、実施の形態１と同様である。
【０１０８】
＊＊＊構成の説明＊＊＊
図１３は、本実施の形態に係る配光制御装置１００の構成例を示す。
図２と比較して、図１３では、視覚的顕著性マップ生成部１０５が追加されている。視覚的顕著性マップ生成部１０５も配光制御プログラムにより実現される。
視覚的顕著性マップ生成部１０５は、車載カメラ１３１で撮影した車両１０の前方の画像より視覚的顕著性マップを生成する。ここで、視覚的顕著性とは、人の注視の引き付けやすさを示す指標（人が注視する確率）である。そして、解析対象の画像から推定された各ピクセルを注視する確率である視覚的顕著性が表された画像を視覚的顕著性マップという。視覚的顕著性マップは、人が画像を見たときに注視しやすい部分を画像特徴量から推定する計算モデルを用いて生成される。本計算モデルについては、様々な手法が提案されており、既知であるため説明を割愛する。
【０１０９】
本実施の形態では、配光パターン選択部１０２２は、視覚的顕著性マップ生成部１０５により生成されたドライバーの視覚的顕著性マップを解析して得られたドライバーが車線の側線を注視する確率が閾値よりも低い場合に、認識向上配光パターンを選択する。
【０１１０】
＊＊＊動作の説明＊＊＊
図１５は、本実施の形態に係る動作例を示す。
【０１１１】
ステップＳ５１において、図４に示した動作（ステップＳ１２１〜ステップＳ１２９）が行われた後に、ステップＳ５２において、配光パターン選択部１０２２は、ステップＳ５１で選択された配光パターンが通常配光パターンであるか否かを判定する。
ステップＳ５１で選択された配光パターンが通常配光パターンでない場合は、処理が終了する。
一方、ステップＳ５１で選択された配光パターンが通常配光パターンである場合は、処理がステップＳ５３に進む。
【０１１２】
ステップＳ５３では、配光パターン選択部１０２２が視覚的顕著性マップ生成部１０５に視覚的顕著性マップの生成を指示し、視覚的顕著性マップ生成部１０５が車載カメラ１３１により撮影された画像から視覚的顕著性マップを生成する。
【０１１３】
次に、ステップＳ５４において、配光パターン選択部１０２２が、視覚的顕著性マップ生成部１０５により生成された視覚的顕著性マップを解析し、車線の側線が注視される確率を取得し、側線が注視される確率が閾値より小さいか否かを判定する。閾値は、例えば、雨天夜間走行時において側線（白線）を視認可能と評価した際の側線が注視される確率である。
側線が注視される確率が閾値より小さい場合は、ドライバーが車線の線形を認識しにくい状態であるため、配光パターン選択部１０２２は、ステップＳ５５において、車線強調パターンを選択する。
側線が注視される確率が閾値より小さくない場合は、ステップＳ５６において、配光パターン選択部１０２２は、引き続き通常配光パターンを選択する。
【０１１４】
＊＊＊実施の形態の効果の説明＊＊＊
本実施の形態によれば、路面が湿潤状態以外の状態でもドライバーが側線を認識しにくい場合は、側線を強調する配光を行うことで、側線のコントラストを高め、ドライバーの車線の線形への認識を高めることができる。
【０１１５】
実施の形態８．
本実施の形態に係る配光制御装置１００は、図示は省略するが、図１２に示した輝度コントラスト値算出部１０４及び図１４に示した視覚的顕著性マップ生成部１０５を有するものとする。
実施の形態１では、前照灯分割領域の明るさには、予め実験などを通じて決定された値が用いられる。
本実施の形態では、実験などを通じて決定された値を用いて認識向上配光パターン（車線強調パターン又は路肩上方強調パターン）で照射領域が照射された際に、輝度コントラスト値算出部１０４による輝度コントラスト値の算出、または、視覚的顕著性マップ生成部１０５による視覚的顕著性マップの生成が行われる。そして、配光情報生成部１０３３は、車線の側線の輝度コントラスト値、または、ドライバーが車線の側線を注視する確率に基づき、認識向上配光パターンで照射する際の明るさを調整する。
より具体的には、車線の側線の輝度コントラスト値、または、ドライバーが車線の側線を注視する確率が、それぞれの閾値よりも小さい場合は、配光情報生成部１０３３は、前照灯分割領域の明るさを強くする。一方で、車線の側線の輝度コントラスト値、または、ドライバーが車線の側線を注視する確率が、それぞれの閾値を大幅に上回る場合は、配光情報生成部１０３３は、前照灯分割領域の明るさを弱くする。
車線の側線の輝度コントラスト値の閾値は、実施の形態６に示したように、例えば、雨天夜間走行時において側線（白線）を視認可能と評価した際の輝度コントラスト値である。
また、ドライバーが車線の側線を注視する確率の閾値は、実施の形態７で示したように、例えば、雨天夜間走行時において側線（白線）を視認可能と評価した際の側線が注視される確率である。
【０１１６】
本実施の形態によれば、ドライバーの車線の線形への認識を高めることができ、かつ、周辺交通者にグレアを与えない、適度な路面照度を実現することができる。
【０１１７】
以上、実施の形態１〜８を説明したが、これらの実施の形態のうち、２つ以上を組み合わせて実施しても構わない。
あるいは、これらの実施の形態のうち、１つを部分的に実施しても構わない。
あるいは、これらの実施の形態のうち、２つ以上を部分的に組み合わせて実施しても構わない。
また、これらの実施の形態に記載された構成及び手順を必要に応じて変更してもよい。
【０１１８】
＊＊＊ハードウェア構成の補足説明＊＊＊
最後に、配光制御装置１００のハードウェア構成の補足説明を行う。
【０１１９】
補助記憶装置９０３には、ＯＳ（Ｏｐｅｒａｔｉｎｇ  Ｓｙｓｔｅｍ）も記憶されている。
そして、ＯＳの少なくとも一部がプロセッサ９０１により実行される。
プロセッサ９０１はＯＳの少なくとも一部を実行しながら、配光制御プログラムを実行する。
プロセッサ９０１がＯＳを実行することで、タスク管理、メモリ管理、ファイル管理、通信制御等が行われる。
また、情報取得部１０１、情報解析部１０２、配光制御部１０３、輝度コントラスト値算出部１０４及び視覚的顕著性マップ生成部１０５の処理の結果を示す情報、データ、信号値及び変数値の少なくともいずれかが、主記憶装置９０２、補助記憶装置９０３、プロセッサ９０１内のレジスタ及びキャッシュメモリの少なくともいずれかに記憶される。
また、配光制御プログラムは、磁気ディスク、フレキシブルディスク、光ディスク、コンパクトディスク、ブルーレイ（登録商標）ディスク、ＤＶＤ等の可搬記録媒体に格納されていてもよい。そして、配光制御プログラムが格納された可搬記録媒体を流通させてもよい。
【０１２０】
また、情報取得部１０１、情報解析部１０２、配光制御部１０３、輝度コントラスト値算出部１０４及び視覚的顕著性マップ生成部１０５の「部」を、「回路」又は「工程」又は「手順」又は「処理」に読み替えてもよい。
また、配光制御装置１００は、処理回路により実現されてもよい。処理回路は、例えば、ロジックＩＣ（Ｉｎｔｅｇｒａｔｅｄ  Ｃｉｒｃｕｉｔ）、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）である。
この場合は、情報取得部１０１、情報解析部１０２、配光制御部１０３、輝度コントラスト値算出部１０４及び視覚的顕著性マップ生成部１０５は、それぞれ処理回路の一部として実現される。
なお、本明細書では、プロセッサと処理回路との上位概念を、「プロセッシングサーキットリー」という。
つまり、プロセッサと処理回路とは、それぞれ「プロセッシングサーキットリー」の具体例である。
【符号の説明】
【０１２１】
１０  車両、１００  配光制御装置、１０１  情報取得部、１０２  情報解析部、１０３  配光制御部、１０４  輝度コントラスト値算出部、１０５  視覚的顕著性マップ生成部、１１０  前照灯（左）、１２０  前照灯（右）、１３０  センサ群、１３１  車載カメラ、１３２  レーダー装置、１３３  舵角センサ、１３４  車速センサ、１４１  高精度ロケータ、１４２  地図データベース、１４３  ドライバーモニタリング装置、１４４  車外通信装置、１５０  統合制御装置、１６０  ＨＵＤ、９０１  プロセッサ、９０２  主記憶装置、９０３  補助記憶装置、９０４  通信インタフェース、１０１１  車両状態情報取得部、１０１２  車両周辺情報取得部、１０１３  ドライバー状態情報取得部、１０２１  状態判定部、１０２２  配光パターン選択部、１０３１  照射領域算出部、１０３２  光照射範囲算出部、１０３３  配光情報生成部。
【要約】
状態判定部（１０２１）は、現在の状態が、車両が走行する車線の線形を車両のドライバーが認識しにくい状態であるか否かを判定する。配光パターン選択部（１０２２）は、状態判定部（１０２１）により現在の状態がドライバーが車線の線形を認識しにくい状態であると判定された場合に、ドライバーが車線の線形を認識しやすくなる配光パターンである認識向上配光パターンを選択する。配光制御部（１０３）は、配光パターン選択部（１０２２）により選択された認識向上配光パターンで照射するように前照灯の配光を制御する。【図１】
0006929481.tif 000002
【図２】
0006929481.tif 000003
【図３】
0006929481.tif 000004
【図４】
0006929481.tif 000005
【図５】
0006929481.tif 000006
【図６】
0006929481.tif 000007
【図７】
0006929481.tif 000008
【図８】
0006929481.tif 000009
【図９】
0006929481.tif 000010
【図１０】
0006929481.tif 000011
【図１１】
0006929481.tif 000012
【図１２】
0006929481.tif 000013
【図１３】
0006929481.tif 000014
【図１４】
0006929481.tif 000015
【図１５】
0006929481.tif 000016